(57)【特許請求の範囲】
【請求項１】
ラッチ錠の錠箱に、操作手段の操作力によってスライドする駆動部材と、その後端部が該駆動部材と係合し、かつ該駆動部材の駆動力により錠箱のフロント側へ付勢手段の付勢力に抗してスライドする摺動制御体と、この摺動制御体の先端部にその内端部が連結手段を介して連係されていると共に、垂直軸を介して軸支されたスイング式押圧体とをそれぞれ組み込み、開扉時、前記操作手段の操作力によって作動する前記駆動部材及び前記摺動制御体を介して前記スイング式押圧体の係合先端部が扉枠側の当接部に対して蹴りだす様に圧接すると、該圧接力に基づく反力は、扉自体を開く方向へ全て作用するラッチ錠における内外気圧差解消装置。
【請求項２】
請求項１に於いて、ラッチ錠のラッチ部材は、ラッチボルト又は反転ラッチの何れかであり、またラッチ錠は、前記ラッチ部材を仮施錠状態に保持するラッチ規制部材を備え、開扉時、前記ラッチ部材が前記ラッチ規制部材からの規制が解かれ後に前記スイング式押圧体が作動することを特徴とするラッチ錠における内外気圧差解消装置。
【請求項３】
請求項１又は請求項２に於いて、スイング式押圧体の係合先端部は、少なくとも作動時、錠箱のフロントから食み出していることを特徴とするラッチ錠における内外気圧差解消装置。
【請求項４】
請求項１、請求項２、請求項３のいずれかに於いて、駆動部材は、所定方向に移動する駆動スライダーと、該駆動スライダーと追動或いは共働するように、かつ、操作手段側の作動片から所定間隔離間した位置に存在する支軸に軸支された共働レバーとから成ることを特徴とするラッチ錠における内外気圧差解消装置。
【請求項５】
請求項１、請求項２、請求項３のいずれかに於いて、駆動部材は、長孔を有するブロック状、又はコ字形状、或いは又はＬ字形状のいずれかに形成されかつ錠箱内に突出した操作手段側の単数又は複数の作動片の移動する方向と同一方向に移動する駆動スライダーと、該駆動スライダーに追動するようにかつ該駆動スライダーから所定間隔離間した位置に存在する支軸に軸支された共働レバーと、摺動制御体を初期位置へ戻す付勢手段とは別個であると共に、該付勢手段と共働して前記駆動スライダーを初期位置へと戻す駆動バネとから成ることを特徴とするラッチ錠における内外気圧差解消装置。
【請求項６】
請求項５に於いて、共働レバーの軸筒部には、少なくとも二本の係合腕が二股状に形成され、第１係合腕はラッチの係止を解除した後に下降継続中の駆動スライダーの下端部側が当る受け腕部分であり、これに対して第２係合腕は摺動制御体の後端部に形成された受け面を押圧するカム腕部分であることを特徴とするラッチ錠における内外気圧差解消装置。
【請求項７】
ラッチ錠の錠箱に、操作手段の操作力によってスライドする駆動部材と、その後端部が該駆動部材と係合し、かつ該駆動部材の駆動力により錠箱のフロント側へ付勢手段の付勢力に抗してスライドする摺動制御体と、この摺動制御体の先端部にその内端部が切欠凹所状の被係合部を介して連係されていると共に、垂直軸を介して軸支されたスイング式押圧体と、該スイング式押圧体用復帰バネとをそれぞれ組み込み、開扉時、前記操作手段の操作力によって作動する前記駆動部材及び前記摺動制御体を介して前記スイング式押圧体の係合先端部が扉枠側の当接部に対して蹴りだす様に圧接すると、該圧接力に基づく反力は、扉自体を開く方向へ全て作用するラッチ錠における内外気圧差解消装置。
【発明の詳細な説明】
【技術分野】
【０００１】
本発明は、ラッチ錠における内外気圧差解消装置に関する。
【背景技術】
【０００２】
特許文献１はラッチ錠における内外気圧差解消装置に関するもので、例えば図７と共に、その段落００３７には、「こじ開けラッチ４４が進出され、こじ開けラッチ４４の傾斜面１０３が反力部材３９の角部１０９に摺接すると、こじ開けラッチ４４の傾斜面１０３が反力部材３９の角部１０９から扉７を開方向へこじる反力を受け、この反力が扉７を開放する方向（扉開動方向）の助勢力となる。つまり、ラッチボルト６５と同方向の移動動作から開動助勢力が分力として得られるようになる。このため、簡素かつ少ないスペースで、しかも、外部へ表出させることなく助勢力の発生機構が構成されている事項」が記載されている（符号は特許文献１のもの）。
【０００３】
また、特許文献２も、ラッチ錠における内外気圧差解消装置に関するものである。この特許文献２に記載の内外気圧差解消装置も、特許文献１と同様に「ラッチ形態の突出杆」がラッチボルト或いはデッドボルトと同一方向へ直進して、いわば「扉をこじ開けるようにして」、扉自体に開放方向の反力の一部（分力）を与えようとするものである。
ところで、特許文献３には、ラッチ錠を構成するラッチ部材の一例として「ラッチボルト」を用いたものが記載されている。このラッチ錠のラッチボルトは、操作手段の操作力により回転する駆動カム（リトラクタ）の駆動腕により、ラッチバネのバネ力に抗して錠箱内に後退可能である（周知乃至自明事項）。
【０００４】
また、特許文献４及び５には、ラッチ錠を構成するラッチ部材の一例として「反転ラッチ」を用いたものが記載されている。これらの各特許文献には、基本的には「反転ラッチ」とプッシュ・プル式の操作手段の枢着基端部に設けられ、かつラッチ錠の錠箱に形成した窓を貫通する「作動突片」との間に、例えば該作動突片の位置変位によって回動する駆動カムと、該駆動カムと共働する連動機構を介して、又は連動機構を介さないで回転する単数又は複数のロッキングピースを介在させ、扉を開く際、前記プッシュ・プル式の操作手段を引く又は押すと、前記作動突片が水平方向又は垂直方向へ移動し、これにより前記駆動カムがラッチの仮施錠状態を解く方向へ所定量回転し、前記操作手段を把持した状態で扉を開くことができる（周知乃至自明事項）。
【先行技術文献】
【特許文献】
【０００５】
【特許文献１】特開２００５−１２７０４４号公報
【特許文献２】特許第４０３４２１６号公報
【特許文献３】特開平９−１５１６５３号公報
【特許文献４】特開２００８−５０８６４号公報（特に、図１）
【特許文献５】特開２００８−２８０７５２号公報
【発明の概要】
【発明が解決しようとする課題】
【０００６】
本願発明の所期の目的は、出願人が提案した特許文献１や特許文献２のように「扉をこじ開けるようにして」、扉自体に開放方向に分力を与えようとするものではなく、テコの原理を利用したスイング式押圧体（異なる解決手段）を、扉枠側の当接部に対して「蹴りだす様に」に作動させ、扉を開け難いという問題点を解消することである。第２の目的は、扉枠側の当接部に対するスイング式押圧体の圧接力を扉に対して十分に発揮させることである。第３の目的は、実施例によっては、極力構成する部品を少なくし、錠箱内に簡単に組み込むことができることである。第４の目的は、実施例によっては、摺動制御体とこれに追動あるいは共働するスイング式押圧体がバラバラに成らず、確実に作動することである。
【課題を解決するための手段】
【０００７】
本願発明の内外気圧差解消装置は、ラッチ錠の錠箱に、操作手段の操作力によってスライドする駆動部材と、その後端部が該駆動部材と係合し、かつ該駆動部材の駆動力により錠箱のフロント側へ付勢手段の付勢力に抗してスライドする摺動制御体と、この摺動制御体の先端部にその内端部が連結手段を介して連係されていると共に、垂直軸を介して軸支されたスイング式押圧体とをそれぞれ組み込み、開扉時、前記操作手段の操作力によって作動する前記駆動部材及び前記摺動制御体を介して前記スイング式押圧体の係合先端部が扉枠側の当接部に対して蹴りだす様に圧接すると、該圧接力に基づく反力は、扉自体を開く方向へ全て作用することを特徴とする。そして、特に、上記構成に於いて、ラッチ錠のラッチ部材は、ラッチボルト又は反転ラッチの何れかであり、またラッチ錠は、前記ラッチ部材を仮施錠状態に保持するラッチ規制部材を備え、開扉時、前記ラッチ部材が前記ラッチ規制部材からの規制が解かれ後に前記スイング式押圧体が作動することを特徴とする。
【０００８】
また、スイング式押圧体の係合先端部は、少なくとも作動時、錠箱のフロントから食み出していることを特徴とする。また、駆動部材は、所定方向に移動する駆動スライダーと、該駆動スライダーと追動或いは共働するように、かつ、駆動スライダー或いは操作手段側の作動片から所定間隔離間した位置に存在する支軸に軸支された共働レバーとから成ることを特徴とする。さらに、前記駆動部材は、長孔を有するブロック状又はコ字形状あるいは又Ｌ字形状いずれかに形成されかつ錠箱内に突出した操作手段側の単数又は複数の作動片の移動する方向と同一方向に移動する駆動スライダーと、該駆動スライダーに追動或いは共働するようにかつ該駆動スライダーから所定間隔離間した位置に存在する支軸に軸支された共働レバーと、摺動制御体を初期位置へ戻す付勢手段とは別個であると共に、該付勢手段と共働して前記駆動スライダーを初期位置へと戻す駆動バネとから成ることを特徴とする。
【０００９】
また、本願発明の内外気圧差解消装置は、ラッチ錠の錠箱に、操作手段の操作力によってスライドする駆動部材と、その後端部が該駆動部材と係合し、かつ該駆動部材の駆動力により錠箱のフロント側へ付勢手段の付勢力に抗してスライドする摺動制御体と、この摺動制御体の先端部にその内端部が切欠凹所状の被係合部を介して連係されていると共に、垂直軸を介して軸支されたスイング式押圧体と、該スイング式押圧体用復帰バネとをそれぞれ組み込み、開扉時、前記操作手段の操作力によって作動する前記駆動部材及び前記摺動制御体を介して前記スイング式押圧体の係合先端部が扉枠側の当接部に対して蹴りだす様に圧接すると、該圧接力に基づく反力は、扉自体を開く方向へ全て作用することを特徴とする。
【発明の効果】
【００１０】
（ａ）出願人が提案した特許文献１や特許文献２とは異なる解決手段により、扉の扉開閉端と扉枠との間に隙間を生じさせ、室内外の気圧差を解消させることができる。
（ｂ）スイング式押圧体の先端部の圧接力は、特許文献１等のような「直進方向に対する分力」とは成らず、全て扉を開く方向に作用する反力と成るので、扉枠側の当接部に対するスイング式押圧体の圧接力を十分に発揮することができる。
（ｃ）実施例によっては、極力構成する部品が少ないので、錠箱内に簡単に組み込むことができる。また、摺動制御体とこれに追動あるいは共働するスイング式押圧体がバラバラに成らず、確実に作動する。
（ｄ）さらに、実施例によっては、操作手段の操作時、室内側操作手段の作動片並びに室外側操作手段の作動片を駆動部材の駆動スライダーに対して同じ方向へ移動させることができると共に、各操作手段の操作力をそのまま駆動スライダーに伝えることができる。また、操作手段側の作動片の位置に対して、駆動部材を構成する共働レバーの支軸の位置を所定間隔離間させ、力学上、駆動スライダーに大きなモーメントを掛けなくても、他の部材をスムースに摺動させることができる。
【図面の簡単な説明】
【００１１】
図１乃至第１３は本発明の第１実施形態の各説明図。図１４は本発明の第２実施形態を示す説明図。図１５乃至図１７は本発明の第３実施形態を示す各説明図。図１８乃至図２８は本発明の第４実施形態を示す各説明図。図２９は本発明の第４実施形態の駆動部材を構成する駆動スライダーの変形例を示す説明図、図３０乃至図３２は本発明の第５実施形態或いは要部の変形例を示す各説明図である。
【図１】第１実施形態の戸枠側の部材と扉側の部材を示す環境説明図。
【図２】錠箱を縦断面視した環境説明図（自明事項は省略）。
【図３】主要部の位置関係を示す平面視からの環境説明図。
【図４】主要部の側面視からの説明図。
【図５】主要部の平面視からの説明図。
【図６】主要部を構成するスイング式押圧体、摺動制御体等の分解斜視図。
【図７】図６のＡ−Ａ線とＢ−Ｂ線断面図。
【図８】要部（扉枠側）の概略断面説明図。
【図９】図８の正面視からの概略説明図。
【図１０】図８の１０−１０線断面図。
【図１１】ラッチ部材の後退動の説明図。
【図１２】図１１の状態に於いて、スイング式押圧体等の作用の説明図
【図１３】平面視からの要部の流れを示す説明図。
【図１４】本発明の第２形態を示す説明図。
【図１５】本発明の第３形態の主要部の位置関係を示す平面視からの環境説明図。
【図１６】平面視からの要部の作用を示す説明図。
【図１７】平面視からの要部の流れを示す説明図。
【図１８】本発明の第４実施形態に用いた操作手段の一例がプッシュ・プル方式のハンドルであることを示す説明図。
【図１９】室内外のハンドル装置を構成する作動片が同じ方向へ作動することを示す説明図。
【図２０】主要部を示す説明図。
【図２１】要部（駆動スライダー、ラッチ規制部材）の斜視図。
【図２２】要部（駆動スライダー、共働レバー、駆動バネ等）の斜視図。
【図２３】要部（共働レバー、駆動バネ、摺動制御体、スイング式押圧体等）の斜視図。
【図２４】駆動スライダーの正面図。
【図２５】駆動スライダーの左側面図。
【図２６】駆動スライダーの底面図。
【図２７】駆動部材と摺動制御体が操作手段から入力を受ける前の初期位置の説明図。
【図２８】操作手段から入力を受け、若干タイミングが遅れた後に摺動制御体が前進方向へ作動する説明図。
【図２９】第４実施形態の駆動部材を構成する駆動スライダーの変形例。
【図３０】本発明の第５実施形態或いは要部の変形例を示す初期時の説明図。
【図３１】一つの作動片が位置変位した状態の説明図。
【図３２】支軸７２が共働レバーを片持ち式で軸支する説明図。
【発明を実施するための最良の形態】
【００１２】
図１乃至第１３は本発明の第１実施形態の各説明図。図１４は本発明の第２実施形態を示す説明図。図１５乃至図１７は本発明の第３実施形態を示す各説明図。図１８乃至図３２は、前記第１実施形態、前記第２実施形態、前記第３実施形態と同一の技術的原理に基づく、第４実施形態、第４実施形態の要部の変形例、及び第５実施形態或いは要部の変形例である。本明細書では図１乃至図１７の各実施形態を詳細に説明し、図１８乃至図３２の各実施形態の説明に当って、前記第１実施形態、前記第２実施形態、前記第３実施形態のそれぞれの構成に対応する同一の部材は、可能な限りそのまま援用し、重複する説明を省略する。したがって、便宜上、第１形態から説明する。
【００１３】
（１）環境部材／本発明の前提要件
図１乃至図３を参照にして環境部材を説明する。なお、当業者にとって、デッドボルトの出没機構やラッチ部材に対する仮施錠用の係脱機構、ラッチ部材などの自明事項の詳細は省略し、本発明の主要部に絞って説明する。
【００１４】
まず、図１は戸枠側の部材と扉側の部材を示す環境説明図で、特に、扉の外壁面と錠箱のフロントが見える斜視図である。この図に於いて、１は玄関扉用の扉枠で、この扉枠１の縦枠には錠受け２が縦方向に固定されている。錠受け２には、上方から順番にデッド受け穴３、ラッチ受け穴４、スイング式押圧体用の切欠部分５がそれぞれ形成されている。また扉枠１の縦枠には、戸当り６、前記錠受け２を取付けるための切欠状の凹所がそれぞれ形成されている（後述）。本発明の本質的事項ではないが、実施形態如何によって、前記戸当り６には、戸当り６と扉７との隙間をシールするパッキン（ガスケット）が適宜に設けられている。
【００１５】
したがって、扉７が室外の方向に開動する開閉体であれば、室内側が負圧となることで、扉７の開閉端部７ａの内側（図１では向こう側の内壁面）は、パッキンを介して又は介さないで戸当り６に押付けられる。
【００１６】
一方、扉７の吊元と反対側の開閉端部７ａには、ラッチ錠Ｘの錠箱８が内装されている。ここで「ラッチ錠」とは、ラッチボルトや反転ラッチと称されるラッチ部材を有する錠前のことで、デッドボルトのみを有する本締り錠を除く。したがって、ラッチボルトのみを有する空錠、ラッチボルト又は反転ラッチのいずれかを有すると共に、デッドボルトを持つ錠前（例えば玄関錠）は、ここでのラッチ錠Ｘに含まれる。
【００１７】
図１で示すように、このラッチ錠Ｘの錠箱８の外壁面側（つまり扉７の室外側の面）には、外側操作手段の一例としてのレバーハンドル９が設けられている。また、扉７の室外側に鍵孔が表れるシリンダ錠１０が設けられる。一方、扉７の室内側に内側操作手段の一例としてのレバーハンドル１１が設けられている。また、シリンダ錠１０の軸線上に位置するようにサムターン装置１２が設けられている。
【００１８】
そして、１３は例えば外側操作手段９の操作力によって後退動するラッチ部材（本実施形態では、ラッチボルト）、１４は例えばシリンダ錠１０の鍵孔に差し込まれた合鍵の操作力によって後退動するデッドボルトである。なお、符号１５は錠受け２に直交する扉枠１の縦枠の前面に固定される縦長状補強片で、この補強片１５は縦枠に切欠凹所を形成するので、それを補強するためのものである。補強片１５は発明の本質的事項ではない。
【００１９】
上記構成に於いて、扉７が室外の方向に開動する開閉体であれば、室内側が負圧となることで、扉７の開閉端部７ａの内側（図１では向こう側の内壁面）は、戸当り６に押付けられる。したがって、扉７を開け難いという問題点があり、それを解決するために「内外気圧差解消装置」が加味されている。
【００２０】
（２）本発明の主要部
本発明の内外気圧差解消装置は、前述したラッチ錠Ｘを前提とする。したがって、基本的には、操作手段の具体的態様、入力側の駆動手段（単数又は複数個の駆動部材）の具体的態様、錠前のラッチ機構の具体的態様を問わず、錠箱乃至扉側に、操作手段と、駆動部材（駆動スライダー等）と、摺動制御体と、単数又は複数の付勢手段と、テコの原理を応用したスイング式押圧体が設けられ、一方、扉枠側に前記スイング式押圧体の先端部（係合先端部）が圧接する当接部が存在すれば良い。そして、本発明の前記スイング式押圧体は、開扉時、ラッチ部材に対するラッチ規制手段による規制が解かれた後、摺動制御体が前進方向へと移動することにより、扉枠側の当接部に対して「蹴りだす様に」に押圧する。
【００２１】
例えば図２で示すように、本発明の内外気圧差解消装置は、ラッチ錠Ｘの錠箱８に、操作手段９、１１の操作力によって回転する駆動カム２１と、その後端部が該駆動カム２１の駆動腕２１ａと係合し、かつ該駆動腕２１ａの駆動力により錠箱８のフロント８ａ側へ付勢手段２３の付勢力に抗してスライドする摺動制御体２４と、この摺動制御体２４の先端部にその内端部が連結手段２５を介して連結されている共に、例えば角部に相当する中央部が前記錠箱８の扉の内壁面側の一側壁に垂直軸２６を介して軸支され、かつ、先端部側に前記フロント８ａから常に突出する係合先端部を有するスイング式押圧体２７を、それぞれ組み込み、開扉時、前記操作手段９、１１の操作力によって作動する前記駆動カム２１及び摺動制御体２４を介して前記スイング式押圧体２７の係合先端部が扉枠側の当接部２８に蹴りだす様に圧接すると、該圧接力は扉自体７を開く方向へ全て作用する。
【００２２】
（３）各部材の具体的構成
例えば図２や図４を参照にして、本発明に関する各部材の具体的構成を説明する。まず、ラッチ部材１３の一例としてのラッチボルトの構成を説明する。ラッチ部材１３は、例えば外側操作手段９の握り部が水平状態の場合には、その後端部と錠箱８の後壁との間に存在するラッチバネ１７のバネ力により、その係合先端部１３ａがフロント８ａから突出する。突出状態の係合先端部１３ａは、図２で示す手前側にラッチ受け穴４に係止される係止面を有し、該係止面の反対側（図２で示す向こう側）に摺接傾斜面を有する。
【００２３】
また、係合先端部１３ａの後端面には棒状のラッチ杆１３ｂが一体的に設けられ、さらに、ラッチ杆１３ｂの後端部には所定長の係合後端部１３ｃが連設する。係合後端部１３ｃは、ラッチバネ１７を支持する端部に略垂直の受け面と、該受け面の下端から後方へ傾斜する逃がし用の下方傾斜面を有する左向台形形状の受け部１８を有する（公知事項）。
【００２４】
次に、駆動カム２１を説明する。駆動カム２１は、内外の操作手段の軸部を連結する角軸１９が貫通する不番の筒状部分と、この筒状部分から半径外方向に延在する長い駆動腕２１ａと、この駆動腕とは略反対方向に延在する短い駆動腕２１ｂとを有し、前記短い駆動腕２１ｂは、その先端面が緩やかな谷形状乃至弧状に切欠され、その後端部側の縁部で前述した台形形状の受け部１８を押し込んだ後に於いても、前記縁部が受け部１８の逃がし用の下方傾斜面の下方へと位置変位することができる（公知事項）。
【００２５】
一方、前記長い駆動腕２１ａは、駆動カム２１が操作手段９、１１の操作力によって回転し、その結果、前述した係合先端部１３ａがラッチ受け穴４から外れる寸前乃至外れた瞬間（操作者はその瞬間扉を開けようとするが）、その指先状先端部分で摺動制御体２４の後端を付勢手段２３のバネ力に抗して押し出すことが可能である（図２の仮想線参照）。
【００２６】
次に、例えば図６や図７を参照にして、摺動制御体２４を説明する（第４実施形態の摺動制御体２４Bも同一構成である）。摺動制御体２４は、ラッチ部材１３と同一方向に進退するように錠箱８内の下方空間に配設されている。本実施形態の摺動制御体２４は、図６で示すように、全体として「ピストル形態」の印象を受けるブロック体であるが、その左右の垂直側面の中央部には、錠箱８側の被案内部分（例えば水平溝、水平切欠など）と係合する案内部分（例えば水平突起、複数の突起、突片等）２４ａが設けられている。これにより、摺動制御体２４は安定した状態で進退動する。また、摺動制御体２４は、その上壁は水平面となっているが、下壁は後壁に至る方向に適宜段差状に切欠され、その後端部に相当する切欠面には付勢手段２３の後端部を支持するバネ端支持突起２４ｂが設けられている。さらに、その前壁の中央部には連結突片２４ｃが設けられ、該連結突片２４ｃには、連結手段（連結軸）３１が貫通する非真円の連結孔３２が形成されている。
【００２７】
次に、スイング式押圧体２７を説明する（第４実施形態も同一構成である）。スイング式押圧体２７は、摺動制御体２４の進退動に追動あるいは共働して水平方向へ所定量回転することができるように垂直軸２６及び上下の軸受け部材３３、３３を介して錠箱８内のフロント８ａ付近に軸支されている（図４参照）。
【００２８】
このスイング式押圧体２７も前記摺動制御体２４と同様にブロック体であるが、幅広後端部（内端部）２７ａは摺動制御体２４の連結突片２４ｃを挟むことができる連結部分２７ａと成っていると共に、錠箱の扉の内壁面側の角部の上下壁には、垂直軸（本実施形態では上下の垂直突起）２６、２６が設けられている。
【００２９】
すなわち、本実施形態では、前述したようにスイング式押圧体２７の幅広後端部２７ａは、摺動制御体２４の先端部に連結軸３１を介して連結されることから、前記内端部に扉７を開放する室外側乃至摺動制御体２４側を指向する所要幅の切欠凹所３５を形成し、この切欠凹所３５に摺動制御体２４の連結突片２４ｃが嵌入した上で、前記内端部に形成した上下の連結孔３６，３６と前記連結突片２４ｃの連結孔３２に連結軸３１を差し込んで、両者２４、２７を一体的に連結している。連結突片２４ｃの連結孔３２は非真円であることから、該非真円の連結孔３２に連結軸３１に遊嵌合している。
【００３０】
ここで、図６の斜視図及び図７の横断面を参照にすると、幅広後端部２７ａに所要幅の切欠凹所３５を形成することによって、該切欠凹所３５は、連結孔３６を有する上下の水平支持面と、この水平支持面と交差する複数の垂直面３８ａ、３８ｂを有し、前記垂直面３８ａ、３８ｂは、一応、人差し指状の係合先端部２７ｂ側の垂直面３８ａと、垂直軸３７側の垂直面３８ｂとに区分けすることができる。
【００３１】
さらに、スイング式押圧体２７は、例えば図３で示すように、錠箱８内に垂直軸２６、２６を介して軸支されると、操作手段を操作しない常態では、角部を形成する後側の縁辺ａと、これに直交する扉枠側の当接部と対向する側の縁辺ｂは、錠箱８の幅広側壁の内壁面に対して略均等角度（例えば４５度づつ）にそれぞれ交差している。また前記後側の縁辺ａと交差する室外側の縁辺ｃは弧状乃至錠箱８の幅広側壁の内壁面に当接する垂直線と成り、さらに、前記扉枠側の当接部と対向する側の縁辺ｂと前記室外側の縁辺ｃは、先端部付近に至るにしたがって次第に幅が狭くなっている。そして、前述した人差し指状の先端部２７ｂは、錠箱８のフロント８ａから常に食み出している。これにより、摺動制御体の進出量（移動範囲）を短くすることができる。
【００３２】
なお、前述した下の軸受け部材３３は、スイング式押圧体２７用の軸受け機能の他、連結突片２４ｃと対向する不番のバネ端支持部を有し、付勢手段２３の先端部を支持する機能も有する。
【００３３】
（４）扉枠側の当接部−第４実施形態等の当接部も同一
図８は、要部（扉枠側）の概略断面説明図、図９は正面視からの概略説明図、図１０は断面図である。これらの図を参照にして扉枠１側の当接部２８を説明する。本実施形態では、当接部２８は、図１で示すように、デッド受け穴３及びラッチ受け穴４を有する「いわゆる１枚のストライク板」の裏側（例えばトロヨケ）に配設されているが、もちろん、設計如何によっては、周知のストライク板等と、当接部２８を有する内外気圧差解消装置の受け具とは別体に成形されたものであっても良い。
【００３４】
さて、この当接部２８は、基本的には、錠受け２内に固定された支持ブラケット４１と、これに軸支された垂直ローラ４２とから成る。支持ブラケット４１は、扉枠１に形成された切欠状の凹所４３に固設され、この凹所４３底面に対して、錠箱８のフロント８ａ（扉７の木口）に向かって延出するように構成される。垂直ローラ４２はローラ垂直軸４４を介して支持ブラケット４１の先端に設けられている。前記支持ブラケット４１が固設される凹所４３は、錠受け２又は錠受け２とは別体の受け具の内部空間よりも深く、錠箱８のフロント８ａより離間した位置を底面とする形状に構成されるとともに、扉７の開放方向側が開口した形状とされ、建物の扉枠１としては、室外側に向かう段部のように形成される。
【００３５】
ところで、支持ブラケット４１に支持された垂直ローラ４２の位置は、例えば図３で示すように、フロント８ａ或いは摺動制御体２４の中心線「Ｏ」上ではなく、室内側、具体的には、スイング式押圧体２７の垂直軸２６側にやや偏芯する位置とされている。これに対して、前記スイング式押圧体２７の連結軸３１は、前記中心線「Ｏ」よりも外側にやや偏芯する位置とされている。
【００３６】
したがって、常態では、中心線「Ｏ」を挟んで、垂直ローラ４２とスイング式押圧体２７の前述した当接部と対向する側の縁辺ｂを有する垂直面側は所要間隔を有して対向している。
【００３７】
（５）主要部の作用
図１１乃至図１３は、第１実施形態の主要部の作用を示す各説明図である。図２では、ダルマ２０及びデッドボルト１４を仮想線で概略的に示したが、前記デッドボルト１４は、周知のように、シリンダ錠１０が施錠状態の場合には、錠箱８のフロント８ａから突出する。また、操作手段の操作力により、ラッチボルト１３が前記フロント８ａから突出すると、図示しないラッチ規制手段（例えばラッチボルト１３をロックする仮施錠機構）により、該ラッチボルト１３は、その後退が阻止される。開扉時、普通一般に、操作手段を操作すると、前記仮施錠機構を構成するラッチ規制板やラッチ用のロックレバーが作動してラッチボルト１３の規制が解除される。
【００３８】
そこで、今仮に、図２で示す仮施錠状態から外側操作手段９を押し下げ、駆動カム２１が時計方向へ回転すると、図１１で示すように、駆動カム２１の短い駆動腕２１ｂの縁部がラッチボルト１３の後端部の係合部１８を押し付けるので、ラッチボルト１３は駆動カム２１の駆動力により、矢印で示すように錠箱８の後壁側へ後退する。そして、前記短い駆動腕２１ｂの縁部が前記係合部１８の下方に潜り込む寸前の所で、駆動カム２１の長い駆動腕２１ａの先端部分の前面が摺動制御体２４の後端面を当接する。
【００３９】
次いで、外側操作手段９の操作力により前記駆動カム２１がさらに時計方向に回転し続けると、図１２及び図１３で示すように、スイング式押圧体２７は、その幅広後端部が中心線「Ｏ」よりも外側（室外）にやや偏芯する位置で摺動制御体２４の先端部で押されることになるから、上下の垂直軸２６、２６を支点に、その指先状の突出先端部２７ａが支持ブラケット４１の垂直ローラ４２に接近する方向へ水平回転し、かつ、該垂直ローラ４２にテコの原理で圧接する。そして、該圧接力に基づく反力は全て扉自体を開く方向へ作用する。これにより、扉７の扉開閉端７ａと扉枠１との間に隙間が生じ、室内外の通気が行われて室内側の負圧がなくなり、室内が負圧となって開動に大きな力が必要となった扉７であっても、容易な開動が可能となる。
【００４０】
ところで、この第１実施形態に於いて、垂直軸２６はスイング式押圧体２７の角部に相当する中央部に設けられているが、角部に垂直軸２６を設けることや該垂直軸２６を可動軸にすることは設計変更事項である。付言すると、垂直軸２６を角部からやや離れた位置に設け、或いは上下の軸受け部材３３、３３の各軸孔を長孔、楕円等に形状して垂直軸２６が多少位置変位するように、いわゆる権利範囲を回避するような設計変更をしたとしても、第１実施形態の効果を得ることができる限り、これらの設計変更例は、第１実施形態と実質的に同一である。
【００４１】
また、この第１実施形態は、特許文献３と同様に、ラッチ錠を構成するラッチ部材１３の一例として「ラッチボルト」を用いたものである。これに対して、図１４は、ラッチ錠を構成するラッチ部材の一例として「反転ラッチ１３Ａ」を用いたものである（本発明の第２実施形態）。この反転ラッチ１３Ａと図示しない公知のプッシュ・プル式の操作手段とを組み合わせたラッチ錠Ｘ１の具体的構成は、幾つかの特許文献等に見られるように、既に周知乃至自明事項なので、その詳細は割愛する。
【００４２】
本発明の第２実施形態である図１４に於いて、５１、５１は錠箱８Ａの側壁の上下に形成した窓、５２、５２はプッシュ・プル式の操作手段の枢着基端部に設けられ、かつ前記窓を貫通する上下の作動突片で、これらの上下の作動突片５２、５２は、駆動カム２１Ａの中心軸５３を基準にして点対象の上下の位置に存在し、水平方向に移動可能である。２１ａは摺動制御体２４の後端面を押し付ける駆動腕である。そして、５４は駆動カム２１Ａに連動するように組み合わせられたラッチ規制手段の一例としての上下一対のロッキングピースである。
【００４３】
この本発明の第２実施形態の図１４の例示からも明らかなように、操作手段の具体的態様、錠前のラッチ機構を構成するラッ部材の具体的態様を問わず、錠箱乃至扉側に、レバー式、プッシュ・プル式等の操作手段（１９、１１）と、該操作手段の操作力によって所定方向へ回転する駆動カム（２１、２１Ａ）と、単数又は複数の付勢手段（２３）と、摺動制御体（２４）と、テコの原理を応用したスイング式押圧体（２７）が設けられ、一方、扉枠１側に前記スイング式押圧体の先端部（係合先端部）が蹴りだし圧接する当接部（２８）が存在すれば良い。なお、当接部（２８）の垂直ローラをスイング式押圧体の突出先端部に設け、一方、前記当接部を非回転式の受け面に設計変更する事項は、均等の範囲内である。
【００４４】
次に、図１５乃至図１７は本発明の第３実施形態を示す各説明図である。これらの図に於いて、本発明の第１実施形態と異なる点は摺動制御体２４Ａとスイング式押圧体２７Ａの組み合わせ構成である。前記第１実施形態では、摺動制御体２４の先端部に連結突片２４ｃが形成され、該連結突片２４ｃがスイング式押圧体２７の後端部に形成した切欠凹所３５に差し込まれた状態で連結手段３１を介して一体的に連結されているが、この第３実施形態では、必ずしも「連結手段３１」を用いなくても良い旨を示している。
【００４５】
すなわち、この第３実施形態では、摺動制御体２４Ａの先端部を「押圧先端部（係合先端部）２４ｃ」とし、一方、スイング式押圧体２７の後端部に形成した切欠凹所３５を「被係合部（押圧先端部に押される部位）」としている。なお、この第３実施形態では、望ましくは、スイング式押圧体２７Ａは垂直軸２６に巻装された復帰バネ２９により初期位置へ戻るように付勢されている。このように構成しても本発明の目的・効果を得ることができる。
【実施例】
【００４６】
前述したように、図１８乃至図３２は、前記第１実施形態、前記第２実施形態、前記第３実施形態と同一の技術的原理に基づく、第４実施形態、第４実施形態の要部の変形例、及び第５実施形態或いは要部の変形例である。本明細書では図１乃至図１７の各実施形態を詳細に説明したので、図１８乃至図３２の各実施形態の説明に当って、前記第１実施形態、前記第２実施形態、前記第３実施形態のそれぞれの構成に対応する同一の部材は、可能な限りそのまま援用し、重複する説明を省略する。
【００４７】
図１８乃至図２８は本発明の第４実施形態、及び図３０乃至図３２で示す第５実施形態に用いた操作手段の一例がプッシュ・プル方式のハンドルであることを示す。このプッシュ・プル方式のハンドルは、例えば一端部が台座に軸支された室外側のハンドルを扉の開く方向へ引く（プルする）際、又は／及び一端部が台座に軸支された室内側のハンドルを、扉の開く方向へ押す（プッシュする）際、それらの一端部の枢軸を支点に内外のハンドルが所定角度まで傾倒するハンドル揺動型のラッチ錠用ハンドル装置の構成部材である。もちろん、プッシュ・プル方式のハンドル装置は、平行リンク機構を用いたハンドル水平移動型であっても良い。
【００４８】
さらに、図１９は室内外のハンドル装置６０、６１を構成する各作動片６５、６９が同じ方向へ作動することを示す説明図である。この図１８を基準にすると、左側が室外（プル側）、右側が室内（プッシュ側）である。したがって、９Ａは室外側の操作手段、１１Ａが室内側の操作手段である。
【００４９】
付言すると、符号６０が、長尺状のプル式ハンドル９Ａ、上方台座６２、下方台座６３、第１駆動リンク６４、室外側作動突片６５、ハンドル復帰バネ６６等を含む外側ハンドル装置で、該外側ハンドル装置６０の前記室外側作動突片６５は、外側の操作手段９Ａを矢印Ａ方向へ引く（プルする）と、第１駆動リンク６４が反時計方向（異なる方向）へ不番のハンドル復帰バネのバネ力に抗して回転することから、矢印で示す時計方向へと共働回転し、その結果、図２１、図２２等で示す駆動部材２１Ｂを構成する駆動スライダー７１が錠箱８Ｂの下方方向へとスライドする。
【００５０】
これに対して、符号６１が、上方台座６６、下方台座６７、第１駆動リンク６８、室内側作動突片６９、不番のハンドル復帰バネ等を含む内側ハンドル装置で、該内側ハンドル装置６１の室内側作動突片６９は、内側の操作手段１１Ａを矢印Ｂ方向へ押す（プッシュする）と、室内側の第１駆動リンク６８が反時計方向へハンドル復帰バネのバネ力に抗して回転することから、矢印で示す反時計方向（同方向）へと共働回転し、その結果、駆動部材２１Ｂを構成する駆動スライダー７１が錠箱８Ｂの下方方向へとスライドする。
【００５１】
しかして、第４実施形態が第１実施形態と主に異なる点は、「第１実施形態の駆動部材２１が、例えば単数の駆動カムであるのに対して、第４実施形態のそれ２１Ｂは、長孔を有するブロック形状に形成され、かつ、錠箱８Ｂの上下方向に移動する駆動スライダー７１と、該駆動スライダーに追動するように、かつ、該駆動スライダー７１から所定間隔離間した位置に存在する共働レバー用支軸７２に軸支された共働レバー７３と、摺動制御体２４Ｂを初期位置へ戻す付勢手段２３とは別個であると共に、該付勢手段２３と共働して前記駆動スライダー７１を初期位置へと戻す駆動バネ７４とから成る」ことである。
【００５２】
そこで、駆動部材２１Ｂの構成を説明する。なお、第４実施形態を説明するに当たって、説明の便宜上、ラッチ部材、ラッチ規制部材等の符号は、第２実施形態（図１４）と同様のものを用いる。
【００５３】
まず、図２０は第４実施形態の主要部を示す説明図である。この図に於いて、８Ｂは錠箱である。１３Ｂはラッチ部材の一例としての反転ラッチ（周知事項なので詳細は割愛）である。５４Ｂ、５４Ｂは、例えば1組みのＬ型形状のロッキンクングピースで構成されたラッチ規制部材（これも周知事項なので詳細は割愛）である。７１はラッチ規制部材の各支軸５５、或いはラッチ規制部材用復帰バネ５６、或いは又駆動レバー用支軸７２よりも錠箱の後壁側の内部空間に配設され、かつ、その長孔状の開口を形成する水平面に押圧係合する室外側作動突片６９並びに室内側作動突片６５（これらの位置は逆であっても良い）のいずれかの移動（本実施形態では下降）によって位置変位するブロック状駆動スライダーである。
【００５４】
７３は前述した一方のラッチ規制部材５４Ｂの支軸５５と摺動制御体２４Ｂとの間に固定的に設けられた横軸（支軸）７２に、その中央部に相当する部分が軸支され、かつ、少なくとも二本の係合腕が二股状に形成された複数本の係合腕を有する共働レバー７３で、この実施形態では、その第１係合腕７３ｂはラッチ部材１３Ｂの係止を解除した後に下降継続中の駆動スライダー７１の下端部のローラ７７が当る受け腕部分であり、これに対して第２係合腕７３ｃは摺動制御体２４Ｂの後端部に形成された傾斜状或いは垂直状の受け面２４ｄを押圧するカム腕部分７３ｃである。該カム腕部分７３ｃは、いわば摺動制御体２４Ｂの後端部の谷間の部分に入り込んでいる。
【００５５】
さらに、７４は両端部が開く方向に作用する駆動バネで、例えばそのコイル状の中央部７４ａが共働レバー７３の軸筒部７３ａに巻装され、中央部７４ａから延びる一端部７４ｂは前記共働レバー７３の第１係合腕７３ｂの一側面に設けたバネ端支持部７３ｄに支持されると共に、その他端部７４ｃは、駆動スライダー７１の下端部側（この実施例では、ローラ７７を支持する横軸７６）に圧接し、該駆動スライダー７１を前記共働レバー７３の第１係合腕７３ｂに対して所要量浮かせる。もちろに、前記駆動バネに代えて、例えば極性に対応して反発する一方の磁性体を共働レバー７３の第１係合腕７３ｂの先端部に設け、これに対して、駆動スライドのローラ７７を他方の磁性体に代えるとか、駆動スライドそのものを、反発機能を有する金属製にするとか、差圧機能を発揮させるために適宜に設計変更をしても良い。
【００５６】
図２７は、駆動部材と摺動制御体が操作手段から入力を受ける前の初期位置の説明図であり、また図２８は、操作手段から入力を受け、若干タイミングが遅れた後に摺動制御体が前進方向へ作動する説明図であり、さらに図２９は、本発明の第４実施形態の駆動部材を構成する駆動スライダーの変形例（一部切欠されたもの）である。
【００５７】
最後に、図３０乃至図３２を参照にして、本発明の第５実施形態を説明する。これらの図は本発明の第４実施形態の説明図である図２０と同様であるため、説明の便宜上、本発明の第４実施形態の各構成部材には前記第４実施形態と同一の符号をして重複する説明を省略する。例えば図２０と図３０を比較すると明らかなように、「駆動部材２１Ｂは、錠箱内に突出した操作手段側の作動片６５、６９の移動する方向と同一方向に移動する駆動スライダー７１Ａと、該駆動スライダーに追動或いは共働するように、かつ、内外の作動片（作動突片）６５、６９から所定間隔離間した位置に存在する支軸７２に軸支された共働レバー７３とから成る点」と同一である。
【００５８】
しかしながら、本発明の第５実施形態が本発明の第４実施形態と主に異なる事項は、（ａ）駆動部材２１Ｂを構成する駆動スライダー７１Ａの形状が錠箱８Ｂの後壁側に切欠を有するコ字形状或いはＬ字形状である点、（ｂ）錠箱８Ｂの窓を介して該錠箱内に突出する内外の作動片６５，６９に対して所定間隔離間した位置に存在する支軸７２が、前記作動片６５，６９よりも上方に配設されている点、（ｃ）共働レバー７３の第１係合腕７３ｂがコ字形状の水平方向に折り曲げ形成された不番の上方端板部分の下面に係合する点、（ｄ）摺動制御体２４を初期位置へ戻す付勢手段２３とは別個であると共に、該付勢手段と共働して前記駆動スライダーを初期位置へと戻す駆動バネが存在しない点、（ｄ）共働レバー７３の第１係合腕７３ｂと駆動スライダー７１Ａの不番の上方端板部分は、図３０の初期位置の状態に於いて、互いに接触状態である点、（ｅ）図３２で示すように、支軸７２が駆動スライダー７１Ａの移動障害にならないように片持ち式で該共働レバー７３の上端部側の中央部４３ａを軸支している点、（ｆ）共働レバー７３の第２係合腕７３ｃの基端部寄りの部位にラッチ規制部材５４Ｂに形成した不番の弧状係合部と係合する不番の弧状押圧係止部が形成されている点等である。
【００５９】
なお、この第５実施形態の前記（ｄ）の相違点に関して、共働レバー７３は駆動スライダー７１Ａの下降移動に追動するものではなく、駆動スライダー７１Ａと共に同時に下降するものであるが、図３０の初期位置の状態に於いて、共働レバー７３の長杆状の第２係合腕７３ｃの先端部と摺動制御体２４の後端部の垂直端面との間にタイミングを遅らせるための若干の間隙が存在するので、差圧機構を発揮させることに関しては特に問題はない。
【００６０】
もちろん、第４実施形態と実質的に同一になるように（共働レバー７３が駆動スライダー７１Ａの下降移動に追動するように）、前記（ｄ）の係合関係について設計変更し、例えば図３０の初期位置の状態に於いて、共働レバー７３の第１係合腕７３ｂと駆動スライダー７１Ａの不番の上方端板部分の間に若干の隙間を設定しても良い。その他、駆動スライダー７１Ａには錠箱に案内される図示しない複数個のガイドが設けられているが、ここでは細部的事項の図面や説明は割愛する。
【００６１】
以上のように適宜設計変更しても、本発明の所期の目的・効果を達成することができる。なお、本発明の入力側の駆動スライダー（７１、７１Ａ）の具体的構成は、そもそも新規事項であるが、本願は該具体的構成を独立項の発明の特定事項として限定するものではない。
【００６２】
本発明の各実施例では、ラッチ錠のラッチ部材（１３、１３Ａ、１３Ｂ）は、ラッチボルト又は反転ラッチの何れかであり、またラッチ錠は、前記ラッチ部材を仮施錠状態に保持する単数又は複数のラッチ規制部材（図示しない公知事項のもの、符号５４、５４Ｂの揺動型の係止片等も含む）を備え、開扉時、入力側（操作手段）から入力が入ると、前記ラッチ部材が前記ラッチ規制部材からの規制が解かれ、その後瞬時に摺動制御体（２４、２４Ａ、２４Ｂ）がフロント側へと前進し、出力側のスイング式押圧体（２７、２７Ａ）は、該摺動制御体を介して扉枠１側の当接部２８に対して蹴りだし状態に回転して、扉７を開く方向へと揺動させる。なお、付記事項として、段落０００９に記載しているように、「本願発明の内外気圧差解消装置は、ラッチ錠の錠箱に、操作手段の操作力によってスライドする駆動部材と、その後端部が該駆動部材と係合し、かつ該駆動部材の駆動力により錠箱のフロント側へ付勢手段の付勢力に抗してスライドする摺動制御体と、この摺動制御体の先端部にその内端部が切欠凹所状の被係合部を介して連係されていると共に、垂直軸を介して軸支されたスイング式押圧体と、該スイング式押圧体用復帰バネとをそれぞれ組み込み、開扉時、前記操作手段の操作力によって作動する前記駆動部材及び前記摺動制御体を介して前記スイング式押圧体の係合先端部が扉枠側の当接部に対して蹴りだす様に圧接するように構成しても、第４実施形態と同様に、該圧接力に基づく反力は、扉自体を開く方向へ全て作用する」
【産業上の利用可能性】
【００６３】
本発明は錠前及び建具の分野で利用される。
【符号の説明】
【００６４】
１…扉枠、２…錠受け、
Ｘ、Ｘ１…ラッチ錠、
３…デッド受け穴、４…ラッチ受け穴、
５…切欠部分、６…戸当り、
７…扉、７ａ…開閉端部、
８、８Ａ、８Ｂ…錠箱、８ａ…フロント、
９、９Ａ…外側操作手段、
１０…シリンダ錠、
１１、１１Ａ…内側操作手段、
１２…サムターン装置、
１３、１３Ａ、１３Ｂ…ラッチ部材、１３ａ…係合先端部、
１４…デッドボルト、１５…補強片、１７…ラッチバネ、
１８…受け部、１９…角軸、
２１、２１Ａ、２１Ｂ…駆動部材、
２１ａ…長い駆動腕、２１ｂ…短い駆動腕、
２３…付勢手段、
２４、２４Ａ、２４Ｂ…摺動制御体、２４ｃ…連結突片、
２５…連結手段、２６…垂直軸、
２７、２７Ａ…スイング式押圧体、２７ａ…幅広後端部（内端部）、
２８…当接部、２９…復帰バネ、３１…連結軸、
３３…軸受け部材、
４１…支持ブラケット、４２…垂直ローラ、４３…切欠状凹所、
５２…作動突片、
５４…ロッキングピース、
６０、６１…室内外のハンドル装置、
６５…室外側作動突片、
７１、７１Ａ…駆動スライダー、
７２…共働レバー用支軸、
７３…共働レバー、
７３ａ…軸筒部、７３ｂ…第１係合腕、７３ｃ…第２係合腕、
７３ｄ…バネ端支持部、７４…駆動バネ。
【図１】
0005727802.tif 000002
【図２】
0005727802.tif 000003
【図３】
0005727802.tif 000004
【図４】
0005727802.tif 000005
【図５】
0005727802.tif 000006
【図６】
0005727802.tif 000007
【図７】
0005727802.tif 000008
【図８】
0005727802.tif 000009
【図９】
0005727802.tif 000010
【図１０】
0005727802.tif 000011
【図１１】
0005727802.tif 000012
【図１２】
0005727802.tif 000013
【図１３】
0005727802.tif 000014
【図１４】
0005727802.tif 000015
【図１５】
0005727802.tif 000016
【図１６】
0005727802.tif 000017
【図１７】
0005727802.tif 000018
【図１８】
0005727802.tif 000019
【図１９】
0005727802.tif 000020
【図２０】
0005727802.tif 000021
【図２１】
0005727802.tif 000022
【図２２】
0005727802.tif 000023
【図２３】
0005727802.tif 000024
【図２４】
0005727802.tif 000025
【図２５】
0005727802.tif 000026
【図２６】
0005727802.tif 000027
【図２７】
0005727802.tif 000028
【図２８】
0005727802.tif 000029
【図２９】
0005727802.tif 000030
【図３０】
0005727802.tif 000031
【図３１】
0005727802.tif 000032
【図３２】
0005727802.tif 000033